(57)【要約】【課題】用紙の両面に画像を形成する場合に、ユーザーが意図した仕上がりになるか否かを判断可能な画像を表示する。【解決手段】画像形成装置１００は、用紙Ｐの特定領域ＡＲをめくった状態を示すプレビュー画像ＭＰを表示する。画像形成装置１００は、ディスプレー４１１、決定部５０３、及び表示部５０４を備える。決定部５０３は、用紙Ｐの表面に形成される第１画像Ｍ１と用紙Ｐの裏面に形成される第２画像Ｍ２の少なくとも一部とをプレビュー画像ＭＰが含むように、特定領域ＡＲを決定する。表示部５０４は、プレビュー画像ＭＰをディスプレー４１に表示する。【選択図】図３
2018160091.tif 000002
【特許請求の範囲】
【請求項１】
記録媒体の特定領域をめくった状態を示すプレビュー画像を表示する表示制御装置であって、
ディスプレーと、
前記記録媒体の表面に形成される第１画像と前記記録媒体の裏面に形成される第２画像の少なくとも一部とを前記プレビュー画像が含むように、前記特定領域を決定する決定部と、
前記プレビュー画像を前記ディスプレーに表示する表示部と
を備える、表示制御装置。
【請求項２】
複数の前記記録媒体は、所定の綴じ位置で綴じられ、
前記決定部は、前記綴じ位置に基づいて、前記特定領域を決定する、請求項１に記載の表示制御装置。
【請求項３】
前記記録媒体は矩形状であり、
前記特定領域が前記記録媒体の一方の長辺に沿って延びる場合には、前記決定部は、前記特定領域が前記一方の長辺から第１距離までの領域を示すように前記特定領域を決定する、請求項１又は請求項２に記載の表示制御装置。
【請求項４】
前記決定部は、前記一方の長辺から前記第２画像の前記一方の長辺に近接する側の端までの距離に基づいて前記第１距離を決定する、請求項３に記載の表示制御装置。
【請求項５】
前記記録媒体は矩形状であり、
前記特定領域が前記記録媒体の一方の短辺に沿って延びる場合には、前記決定部は、前記特定領域が前記一方の短辺から第２距離までの領域を示すように前記特定領域を決定する、請求項１又は請求項２に記載の表示制御装置。
【請求項６】
前記決定部は、前記一方の短辺から前記第２画像の前記一方の短辺に近接する側の端までの距離に基づいて前記第２距離を決定する、請求項５に記載の表示制御装置。
【請求項７】
記録媒体の特定領域をめくった状態を示すプレビュー画像をディスプレーに表示する表示制御方法であって、
前記記録媒体の表面に形成される第１画像と前記記録媒体の裏面に形成される第２画像の少なくとも一部とを前記プレビュー画像が含むように、前記特定領域を決定する決定ステップと、
前記プレビュー画像を前記ディスプレーに表示する表示ステップと
を含む、表示制御方法。
【請求項８】
記録媒体の特定領域をめくった状態を示すプレビュー画像を表示する画像形成装置であって、
ディスプレーと、
前記記録媒体の表面に形成される第１画像と前記記録媒体の裏面に形成される第２画像の少なくとも一部とを前記プレビュー画像が含むように、前記特定領域を決定する決定部と、
前記プレビュー画像を前記ディスプレーに表示する表示部と、
前記記録媒体の表面に前記第１画像を形成し、前記記録媒体の裏面に前記第２画像を形成する画像形成部と
を備える、画像形成装置。
【発明の詳細な説明】
【技術分野】
【０００１】
本発明は、プレビュー画像をディスプレーに表示する表示制御装置、表示制御方法、及び画像形成装置に関する。
【背景技術】
【０００２】
特許文献１に記載のプリントシステムは、ホストコンピューターとプリンターとを備える。ホストコンピューターは、プレビューアーを備える。プレビューアーは、プレビュー画像をディスプレーに表示する。具体的には、プレビューアーは、用紙の両面の画像を形成する場合に、用紙の表面に形成される表面画像と、用紙の裏面に形成される裏面画像とを重ねて表示する。
【先行技術文献】
【特許文献】
【０００３】
【特許文献１】特開２００７−２５０００２号公報
【発明の概要】
【発明が解決しようとする課題】
【０００４】
しかしながら、特許文献１に記載のプリントシステムでは、裏面画像と表面画像とが重なり、表面画像の内容及び裏面画像の内容の少なくとも一方を確認し難い可能性がある。その結果、ユーザーが意図した仕上がりになるか否かを判断できない可能性がある。
【０００５】
本発明は、上記課題に鑑みてなされたものであり、記録媒体の両面に画像を形成する場合に、ユーザーが意図した仕上がりになるか否かを判断可能なプレビュー画像を表示する表示制御装置、表示制御方法、及び画像形成装置を提供することを目的としている。
【課題を解決するための手段】
【０００６】
本発明に係る表示制御装置は、記録媒体の特定領域をめくった状態を示すプレビュー画像を表示する。前記表示制御装置は、ディスプレー、決定部、及び表示部を備える。前記決定部は、前記記録媒体の表面に形成される第１画像と前記記録媒体の裏面に形成される第２画像の少なくとも一部とを前記プレビュー画像が含むように、前記特定領域を決定する。前記表示部は、前記プレビュー画像を前記ディスプレーに表示する。
【０００７】
本発明に係る表示制御方法は、記録媒体の特定領域をめくった状態を示すプレビュー画像をディスプレーに表示する。前記表示制御方法は、決定ステップと表示ステップとを含む。前記決定ステップでは、前記記録媒体の表面に形成される第１画像と前記記録媒体の裏面に形成される第２画像の少なくとも一部とを前記プレビュー画像が含むように前記特定領域を決定する。前記表示ステップでは、前記プレビュー画像を前記ディスプレーに表示する。
【０００８】
本発明に係る画像形成装置は、記録媒体の特定領域をめくった状態を示すプレビュー画像を表示する。前記画像形成装置は、ディスプレー、決定部、表示部、及び画像形成部を備える。前記決定部は、前記記録媒体の表面に形成される第１画像と前記記録媒体の裏面に形成される第２画像の少なくとも一部とを前記プレビュー画像が含むように前記特定領域を決定する。前記表示部は、前記プレビュー画像を前記ディスプレーに表示する。前記画像形成部は、前記記録媒体の表面に前記第１画像を形成し、前記記録媒体の裏面に前記第２画像を形成する。
【発明の効果】
【０００９】
本発明に係る表示制御装置、表示制御方法、及び画像形成装置によれば、記録媒体の両面に画像を形成する場合に、ユーザーが意図した仕上がりになるか否かを判断可能なプレビュー画像を表示できる。
【図面の簡単な説明】
【００１０】
【図１】本発明の実施形態に係る画像形成装置の構成の一例を示す図である。
【図２】画像形成装置の要部の構成の一例を示す図である。
【図３】本発明の実施形態に係る制御部の構成の一例を示す図である。
【図４】綴じ位置の一例を示す図である。（ａ）は、縦長の用紙の綴じ位置の一例を示す図である。（ｂ）は、縦長の用紙の綴じ位置の他の一例を示す図である。（ｃ）は、横長の用紙の綴じ位置の一例を示す図である。（ｄ）は、横長の用紙の綴じ位置の他の一例を示す図である。
【図５】（ａ）は、第１画像の一例を示す図である。（ｂ）は、第２画像の一例を示す図である。（ｃ）は、プレビュー画像の一例を示す図である。
【図６】（ａ）は、第１画像の一例を示す図である。（ｂ）は、第２画像の図５（ｂ）とは別の一例を示す図である。（ｃ）は、プレビュー画像の図５（ｃ）とは別の一例を示す図である。
【図７】（ａ）は、第１画像の一例を示す図である。（ｂ）は、第２画像の図５（ｂ）及び図６（ｂ）とは別の一例を示す図である。（ｃ）は、プレビュー画像の図５（ｃ）及び図６（ｃ）とは別の一例を示す図である。
【図８】制御部の処理の一例を示すフローチャートである。
【図９】制御部の領域決定処理の一例を示すフローチャートである。
【発明を実施するための形態】
【００１１】
以下、本発明の実施形態について、図面（図１〜図９）を参照しながら説明する。なお、図中、同一又は相当部分については同一の参照符号を付して説明を繰り返さない。
【００１２】
まず、図１を参照して、本発明の実施形態に係る画像形成装置１００の構成について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４、及び制御部５を備える。
【００１３】
画像形成ユニット１は、用紙Ｐに画像を形成する。画像読取ユニット２は、原稿Ｒに形成された画像を読み取る。原稿搬送ユニット３は、原稿Ｒを画像読取ユニット２に供給する。操作表示部４は、ユーザーからの操作を受け付けると共に、種々の情報を表示する。制御部５は、画像形成装置１００の動作を制御する。
【００１４】
画像形成ユニット１は、給送部１２、搬送部Ｌ、トナー供給部１３、画像形成実行部１４、定着部１６及び排出部１７を備える。画像形成実行部１４は、転写部１５を含む。画像形成ユニット１は、「画像形成部」の一例に相当する。
【００１５】
給送部１２は、用紙Ｐを搬送部Ｌへ供給する。搬送部Ｌは、用紙Ｐを転写部１５及び定着部１６を経由して排出部１７まで搬送する。用紙Ｐは、「記録媒体」の一例に相当する。
【００１６】
トナー供給部１３は、画像形成実行部１４にトナーを供給する。画像形成実行部１４は、用紙Ｐに画像を形成する。
【００１７】
転写部１５は、中間転写ベルト１５４を備える。画像形成実行部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１８】
定着部１６は、用紙Ｐを加熱及び加圧し、用紙Ｐに形成された画像を用紙Ｐに定着する。排出部１７は、用紙Ｐを画像形成装置１００の外部へ排出する。
【００１９】
画像読取ユニット２は、画像読取部２１を備える。画像読取部２１は、ＬＥＤ（Ｌｉｇｈｔ  Ｅｍｉｔｔｉｎｇ  Ｄｉｏｄｅ）、コンタクトガラス、結像レンズ及びイメージセンサーを備え、これらの各部材が一体化されたＣＩＳ（Ｃｏｎｔａｃｔ  Ｉｍａｇｅ  Ｓｅｎｓｏｒ）ユニットである。
【００２０】
操作表示部４は、タッチパネル４１を備える。
【００２１】
次に、図１及び図２を参照して、画像形成装置１００の要部の構成について説明する。図２は、画像形成装置１００の要部の構成の一例を示す図である。図２に示すように、タッチパネル４１は、ディスプレー４１１及びタッチセンサー４１２を備える。ディスプレー４１１は、例えば、ＬＣＤ（Ｌｉｑｕｉｄ  Ｃｒｙｓｔａｌ  Ｄｉｓｐｌａｙ）を備え、種々の画像を表示する。タッチセンサー４１２は、ユーザーの操作を受け付ける。
【００２２】
また、制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。プロセッサー５Ａは、制御プログラムを実行することによって各種機能部として機能する。
【００２３】
ディスプレー４１１と制御部５とは、「制御表示装置」を構成する。
【００２４】
次に、図１〜図３を参照して、本発明の実施形態に係る制御部５の構成について説明する。図３は、制御部５の構成を示す図である。図３に示すように、制御部５は、読取部５０１、設定部５０２、決定部５０３、表示部５０４、及び指示部５０５を備える。具体的には、プロセッサー５Ａが、制御プログラムを実行することによって、読取部５０１、設定部５０２、決定部５０３、表示部５０４、及び指示部５０５として機能する。
【００２５】
読取部５０１は、画像読取ユニット２を介して原稿Ｒに形成された画像を読み込んで画像情報を生成する。本発明の実施形態では、原稿Ｒの片面に画像が形成されている場合について説明する。読取部５０１は、１枚目の原稿Ｒに形成された画像を読み込んで第１画像情報Ｍ１Ｊを生成する。また、読取部５０１は、２枚目の原稿Ｒに形成された画像を読み込んで第２画像情報Ｍ２Ｊを生成する。
【００２６】
設定部５０２は、ユーザーによるタッチパネル４１の操作に基づいて、綴じ位置を設定する。綴じ位置は、例えば、ユーザーがステープラーを用いてステープル処理を施す位置を示す。
【００２７】
決定部５０３は、プレビュー画像ＭＰが、用紙Ｐの表面に形成される第１画像Ｍ１と、用紙Ｐの裏面に形成される第２画像Ｍ２の少なくとも一部とを含むように特定領域ＡＲを決定する。第１画像Ｍ１は、第１画像情報Ｍ１Ｊに対応する。第２画像Ｍ２は、第２画像情報Ｍ２Ｊに対応する。
【００２８】
表示部５０４は、用紙Ｐの特定領域ＡＲをめくった状態を示すプレビュー画像ＭＰをディスプレー４１１に表示する。用紙Ｐは、矩形状である。
【００２９】
指示部５０５は、用紙Ｐの表面に第１画像Ｍ１を形成し、用紙Ｐの裏面に第２画像Ｍ２を形成するように画像形成ユニット１に対して指示する。
【００３０】
以上、図１〜図３を参照して説明したように、本発明の実施形態では、プレビュー画像ＭＰが、用紙Ｐの特定領域ＡＲをめくった状態を示す。また、プレビュー画像ＭＰが用紙Ｐの表面に形成される第１画像Ｍ１と用紙Ｐの裏面に形成される第２画像Ｍ２の少なくとも一部とを含むように、決定部５０３が特定領域ＡＲを決定する。よって、ユーザーはディスプレー４１１に表示されたプレビュー画像ＭＰを参照することで、第１画像Ｍ１と第２画像Ｍ２の少なくとも一部とを確認できる。したがって、用紙Ｐの両面に画像を形成する場合に、ユーザーが意図した仕上がりになるか否かを判断可能なプレビュー画像ＭＰを表示できる。
【００３１】
また、画像形成ユニット１が、用紙Ｐの表面に第１画像Ｍ１を形成し、用紙Ｐの裏面に第２画像Ｍ２を形成する。したがって、プレビュー画像ＭＰを参照してユーザーが意図した仕上がりになると判断した第１画像Ｍ１を用紙Ｐの表面に形成し、プレビュー画像ＭＰを参照してユーザーが意図した仕上がりになると判断した第２画像Ｍ２を用紙Ｐの裏面に形成できる。
【００３２】
本発明の実施形態では、第１画像Ｍ１が第１画像情報Ｍ１Ｊに対応し、第２画像Ｍ２が第２画像情報Ｍ２Ｊに対応し、第１画像情報Ｍ１Ｊ及び第２画像情報Ｍ２Ｊを読取部５０１が生成するが、本発明はこれに限定されない。画像形成装置１００が、第１画像情報Ｍ１Ｊ及び第２画像情報Ｍ２Ｊを有すればよい。例えば、画像形成装置１００が、ネットワークを介して、第１画像情報Ｍ１Ｊ及び第２画像情報Ｍ２Ｊをパーソナルコンピューターのような外部装置から取得する形態でもよい。
【００３３】
次に、図１〜図４を参照して、設定部５０２の処理について更に説明する。図４は、綴じ位置ＳＴの一例を示す図である。図４（ａ）は、縦長の用紙Ｐの綴じ位置ＳＴの一例を示す図である。図４（ｂ）は、縦長の用紙Ｐの綴じ位置ＳＴの他の一例を示す図である。図４（ｃ）は、横長の用紙Ｐの綴じ位置ＳＴの一例を示す図である。図４（ｄ）は、横長の用紙Ｐの綴じ位置ＳＴの他の一例を示す図である。複数の用紙Ｐは、所定の綴じ位置ＳＴで綴じられる。
【００３４】
図４（ａ）に示すように、用紙Ｐは、縦長に配置されている。また、用紙Ｐには、第１画像Ｍ１が形成されている。綴じ位置ＳＴは、用紙Ｐの一方の長辺ＬＳ１に近接する位置に配置される。また、複数の綴じ位置ＳＴが、長辺ＬＳ１に沿って配置される。長辺ＬＳ１は、用紙Ｐの左端に位置する。
【００３５】
図４（ｂ）に示すように、用紙Ｐは、縦長に配置されている。また、用紙Ｐには、第１画像Ｍ１が形成されている。綴じ位置ＳＴは、用紙Ｐの他方の長辺ＬＳ２に近接する位置に配置される。また、複数の綴じ位置ＳＴが、長辺ＬＳ２に沿って配置される。長辺ＬＳ２は、用紙Ｐの右端に位置する。以下の説明において、長辺ＬＳ１と長辺ＬＳ２とを長辺ＬＳと総称する場合がある。
【００３６】
図４（ｃ）に示すように、用紙Ｐは、横長に配置されている。また、用紙Ｐには、第１画像Ｍ１が形成されている。綴じ位置ＳＴは、用紙Ｐの一方の短辺ＳＳ１に近接する位置に配置される。また、複数の綴じ位置ＳＴが、短辺ＳＳ１に沿って配置される。短辺ＳＳ１は、用紙Ｐの左端に位置する。
【００３７】
図４（ｄ）に示すように、用紙Ｐは、横長に配置されている。また、用紙Ｐには、第１画像Ｍ１が形成されている。綴じ位置ＳＴは、用紙Ｐの他方の短辺ＳＳ２に近接する位置に配置される。また、複数の綴じ位置ＳＴが、短辺ＳＳ２に沿って配置される。短辺ＳＳ２は、用紙Ｐの右端に位置する。以下の説明において、短辺ＳＳ１と短辺ＳＳ２とを短辺ＳＳと総称する場合がある。
【００３８】
設定部５０２は、ユーザーによるタッチパネル４１の操作に基づいて、綴じ位置を設定する。例えば、設定部５０２は、タッチパネル４１に、図４（ａ）〜図４（ｄ）に示す４つの画像を表示する。そして、設定部５０２は、ユーザーによるタッチパネル４１の操作に基づいて、図４（ａ）〜図４（ｄ）のいずれかに対応する画像を選択することによって、綴じ位置ＳＴを設定する。
【００３９】
次に、図１〜図５を参照して、決定部５０３及び表示部５０４の処理について更に説明する。図５（ａ）は、第１画像Ｍ１の一例を示す図である。図５（ｂ）は、第２画像Ｍ２の一例を示す図である。図５（ｃ）はプレビュー画像ＭＰの一例を示す図である。なお、以下の説明においては、設定部５０２が、図４（ｂ）に示すように、綴じ位置ＳＴを設定する場合について説明する。すなわち、複数の綴じ位置ＳＴが、用紙Ｐの右端に位置する長辺ＬＳ２に沿って配置される。
【００４０】
図５（ａ）に示すように、第１画像Ｍ１は、用紙Ｐの表面に形成される。第１画像Ｍ１には、「ＸＸＸＸＸＸＸＸＸ」を示す文字列画像が、用紙Ｐの左右方向に沿って配置されている。また、第１画像Ｍ１には、「ＸＸＸＸＸＸＸＸＸ」を示す複数の文字列画像が用紙Ｐの上下方向に沿って配列されている。
【００４１】
図５（ｂ）に示すように、第２画像Ｍ２は、用紙Ｐの裏面に形成される。第２画像Ｍ２には、「ＡＢＣＤＥＦＧＨ」を示す文字列画像が、用紙Ｐの左右方向に沿って配置されている。また、第２画像Ｍ２には、「ＡＢＣＤＥＦＧＨ」を示す複数の文字列画像が用紙Ｐの上下方向に沿って配列されている。
【００４２】
図５（ｂ）は、距離ＬＡを更に示す。距離ＬＡは、長辺ＬＳ１から第２画像Ｍ２までの距離を示す。具体的には、距離ＬＡは、長辺ＬＳ１から第２画像Ｍ２の長辺ＬＳ１に近接する側の端までの距離を示す。
【００４３】
図５（ｃ）に示すように、プレビュー画像ＭＰは、用紙Ｐの特定領域ＡＲをめくった状態を示す。特定領域ＡＲは、用紙Ｐの長辺ＬＳ１に沿って延びる。特定領域ＡＲは、長辺ＬＳ１から第１距離Ｌ１までの領域を示す。
【００４４】
決定部５０３は、用紙Ｐの綴じ位置ＳＴに基づいて、特定領域ＡＲを決定する。具体的には、決定部５０３は、用紙Ｐにおいて綴じ位置ＳＴから離間する側に特定領域ＡＲを設定する。例えば、綴じ位置ＳＴが長辺ＬＳ２に沿って配置される場合には、決定部５０３は、図５（ｃ）に示すように、特定領域ＡＲを長辺ＬＳ１に沿った領域に決定する。
【００４５】
また、図５（ｃ）に示すように特定領域ＡＲが用紙Ｐの長辺ＬＳ１に沿って延びる場合には、決定部５０３は、特定領域ＡＲが長辺ＬＳ１から第１距離Ｌ１までの領域を示すように特定領域ＡＲを決定する。
【００４６】
更に、決定部５０３は、距離ＬＡに基づいて第１距離Ｌ１を決定する。決定部５０３は、例えば、距離ＬＡに所定距離αを加算した和を第１距離Ｌ１に決定する。所定距離αは、例えば、第２画像Ｍ２を構成する「ＡＢＣＤＥＦＧＨ」を示す文字列画像における１文字分の画像の幅に相当する。
【００４７】
以上、図１〜図５を参照して説明したように、本発明の実施形態では、決定部５０３が、用紙Ｐの綴じ位置ＳＴに基づいて特定領域ＡＲを決定する。よって、例えば用紙Ｐの綴じ位置ＳＴから離間する側に特定領域ＡＲを決定する。したがって、特定領域ＡＲを適正に決定できるため、ユーザーが意図した仕上がりになるか否かを確実に確認できる。
【００４８】
また、特定領域ＡＲが用紙Ｐの長辺ＬＳ２に沿って延びる場合には、決定部５０３は、特定領域ＡＲが長辺ＬＳ２から第１距離Ｌ１までの領域を示すように特定領域ＡＲを決定する。よって、第１距離Ｌ１を適正な値に決定することによって、特定領域ＡＲを適正な領域に決定できる。なお、適正な値とは、プレビュー画像ＭＰが第２画像Ｍ２の少なくとも一部を含むような値を示す。したがって、ユーザーが意図した仕上がりになるか否かを更に確実に判断できる。
【００４９】
更に、決定部５０３は、距離ＬＡに基づいて第１距離Ｌ１を決定する。距離ＬＡは、長辺ＬＳ２から第２画像Ｍ２の長辺ＬＳ２に近接する側の端までの距離を示す。よって、第１距離Ｌ１を適正な値に決定できる。したがって、ユーザーが意図した仕上がりになるか否かを更に確実に判断できる。
【００５０】
次に、図６を参照して、決定部５０３及び表示部５０４の処理について更に説明する。図６（ａ）は、第１画像Ｍ１の一例を示す図である。図６（ａ）に示す第１画像Ｍ１は、図５（ａ）に示す第１画像Ｍ１と同一の画像を示す。図６（ｂ）は、第２画像Ｍ２の図５（ｂ）とは別の一例を示す図である。図６（ｃ）はプレビュー画像ＭＰの図５（ｃ）とは別の一例を示す図である。図６（ｂ）に示す第２画像Ｍ２は、図５（ｂ）に示す第２画像Ｍ２と比較して、右側の余白領域が広い点で相違している。以下の説明では、図５と相違する点について主に説明する。
【００５１】
図６（ｂ）に示すように、第２画像Ｍ２は、用紙Ｐの裏面に形成される。第２画像Ｍ２には、「ＡＢＣＤＥＦ」を示す文字列画像が、用紙Ｐの左右方向に沿って配置されている。また、第２画像Ｍ２には、「ＡＢＣＤＥＦ」を示す複数の文字列画像が用紙Ｐの上下方向に沿って配列されている。
【００５２】
第２画像Ｍ２の左端の位置は、図５（ｂ）に示す第２画像Ｍ２の左端の位置と一致している。第２画像Ｍ２の幅は、図５（ｂ）に示す第２画像Ｍ２の幅より狭い。よって、図５（ｂ）に示す第２画像Ｍ２と比較して、第２画像Ｍ２の右側の余白領域が広い。その結果、距離ＬＡは、図５（ｂ）に示す距離ＬＡより長い。距離ＬＡは、長辺ＬＳ１から第２画像Ｍ２の距離ＬＡに近接する側の端までの距離を示す。
【００５３】
図６（ｃ）に示すように、プレビュー画像ＭＰは、用紙Ｐの特定領域ＡＲをめくった状態を示す。特定領域ＡＲは、用紙Ｐの長辺ＬＳ１に沿って延びる。特定領域ＡＲは、長辺ＬＳ１から第１距離Ｌ１までの領域を示す。
【００５４】
図６（ｂ）に示す距離ＬＡは、図５（ｂ）に示す距離ＬＡより長いが、決定部５０３が、距離ＬＡに基づいて第１距離Ｌ１を決定するため、特定領域ＡＲを適正に決定できる。すなわち、プレビュー画像ＭＰは、第２画像Ｍ２の少なくとも一部を含む。したがって、距離ＬＡが長い場合にも、ユーザーが意図した仕上がりになるか否かを判断できる。
【００５５】
次に、図７を参照して、決定部５０３及び表示部５０４の処理について更に説明する。図７（ａ）は、第１画像Ｍ１の一例を示す図である。図７（ａ）に示す第１画像Ｍ１は、図５（ａ）に示す第１画像Ｍ１と同一の画像を示す。図７（ｂ）は、第２画像Ｍ２の図５（ｂ）及び図６（ｂ）とは別の一例を示す図である。図７（ｃ）はプレビュー画像ＭＰの図５（ｃ）及び図６（ｃ）とは別の一例を示す図である。図７（ｂ）に示す第２画像Ｍ２は、図６（ｂ）に示す第２画像Ｍ２と比較して、右側の余白が更に大きい点で相違している。以下の説明では、図６と相違する点について主に説明する。
【００５６】
図７（ｂ）に示すように、第２画像Ｍ２は、用紙Ｐの裏面に形成される。第２画像Ｍ２には、「ＡＢＣＤ」を示す文字列画像が、用紙Ｐの左右方向に沿って配置されている。また、第２画像Ｍ２には、「ＡＢＣＤ」を示す複数の文字列画像が用紙Ｐの上下方向に沿って配列されている。
【００５７】
第２画像Ｍ２の左端の位置は、図６（ｂ）に示す第２画像Ｍ２の左端の位置と一致している。第２画像Ｍ２の幅は、図６（ｂ）に示す第２画像Ｍ２の幅より狭い。よって、図６（ｂ）に示す第２画像Ｍ２と比較して、第２画像Ｍ２の右側の余白領域が広い。その結果、距離ＬＡは、図６（ｂ）に示す距離ＬＡより長い。距離ＬＡは、長辺ＬＳ１から第２画像Ｍ２の距離ＬＡに近接する側の端までの距離を示す。
【００５８】
図７（ｃ）に示すように、プレビュー画像ＭＰは、用紙Ｐの特定領域ＡＲをめくった状態を示す。特定領域ＡＲは、用紙Ｐの長辺ＬＳ１に沿って延びる。特定領域ＡＲは、長辺ＬＳ１から第１距離Ｌ１までの領域を示す。
【００５９】
図７（ｂ）に示す距離ＬＡは、図６（ｂ）に示す距離ＬＡより更に長いが、決定部５０３が、距離ＬＡに基づいて第１距離Ｌ１を決定するため、特定領域ＡＲを適正に決定できる。すなわち、プレビュー画像ＭＰは、第２画像Ｍ２の少なくとも一部を含む。したがって、距離ＬＡが更に長い場合にも、ユーザーが意図した仕上がりになるか否かを判断できる。
【００６０】
次に、図１〜図８を参照して、制御部５の処理について説明する。図８は、制御部５の処理の一例を示すフローチャートである。
図８に示すように、まず、ステップＳ１０１において、読取部５０１は、１枚目の原稿Ｒに形成された画像を読み込んで第１画像情報Ｍ１Ｊを生成する。
次に、ステップＳ１０３において、読取部５０１は、２枚目の原稿Ｒに形成された画像を読み込んで第２画像情報Ｍ２Ｊを生成する。
次に、ステップＳ１０５において、設定部５０２は、ユーザーによるタッチパネル４１の操作に基づいて、綴じ位置ＳＴを設定する。
次に、ステップＳ１０７において、設定部５０２が、「領域決定処理」を行う。「領域決定処理」は、特定領域ＡＲを決定する処理を示す。
【００６１】
次に、ステップＳ１０９において、表示部５０４が、プレビュー画像ＭＰを生成する。
次に、ステップＳ１１１において、表示部５０４が、プレビュー画像ＭＰをディスプレー４１１に表示する。
次に、ステップＳ１１３において、指示部５０５が、ユーザーによるタッチパネル４１の操作に基づいて、用紙Ｐに画像を形成するか否かを判定する。
用紙Ｐに画像を形成しないと指示部５０５が判定した場合（ステップＳ１１３でＮＯ）には、処理がステップＳ１０５に戻る。用紙Ｐに画像を形成すると指示部５０５が判定した場合（ステップＳ１１３でＹＥＳ）には、処理がステップＳ１１５に進む。
そして、ステップＳ１１５において、指示部５０５が、用紙Ｐの表面に第１画像Ｍ１を形成し、用紙Ｐの裏面に第２画像Ｍ２を形成するよう画像形成ユニット１に対して指示し、処理が終了する。
【００６２】
ステップＳ１０７が「決定ステップ」の一例に相当し、ステップＳ１１１が「表示ステップ」の一例に相当する。
【００６３】
以上、図１〜図８を参照して説明したように、本発明の実施形態では、用紙Ｐの両面に画像を形成する場合に、ユーザーはディスプレー４１１に表示されたプレビュー画像ＭＰを参照することで、第１画像Ｍ１と、第２画像Ｍ２の少なくとも一部とを確認できる。したがってユーザーが意図した仕上がりになるか否かを判断可能なプレビュー画像ＭＰを表示できる。そして、ユーザーが意図した仕上がりになると判定した場合には、用紙Ｐの表面に第１画像Ｍ１を形成し、用紙Ｐの裏面に第２画像Ｍ２を形成できる。
【００６４】
次に、図１〜図９を参照して、制御部５の「領域決定処理」について説明する。図９は、制御部５の「領域決定処理」の一例を示すフローチャートである。
図９に示すように、まず、ステップＳ２０１において、決定部５０３が、綴じ位置ＳＴが用紙Ｐの長辺ＬＳに近接しているか否かを判定する。
綴じ位置ＳＴが用紙Ｐの長辺ＬＳに近接していないと決定部５０３が判定した場合（ステップＳ２０１でＮＯ）には、処理がステップＳ２１１に進む。綴じ位置ＳＴが用紙Ｐの長辺ＬＳに近接していると決定部５０３が判定した場合（ステップＳ２０１でＹＥＳ）には、処理がステップＳ２０３に進む。
【００６５】
そして、ステップＳ２０３において、決定部５０３が、綴じ位置ＳＴから離間する用紙Ｐの長辺ＬＳ１を決定する。
次に、ステップＳ２０５において、決定部５０３が、距離ＬＡを求める。
次に、ステップＳ２０７において、決定部５０３が、距離ＬＡに基づいて第１距離Ｌ１を決定する。具体的には、決定部５０３は、距離ＬＡに所定距離αを加算した和を第１距離Ｌ１に決定する。
次に、ステップＳ２０９において、決定部５０３が、第１距離Ｌ１に基づいて特定領域ＡＲを決定する。具体的には、決定部５０３は、長辺ＬＳ１から第１距離Ｌ１までの領域を示すように特定領域ＡＲを決定する。そして、処理が図８のステップＳ１０９に戻る。
【００６６】
ステップＳ２０１でＮＯの場合には、ステップＳ２１１において、決定部５０３が、綴じ位置ＳＴから離間する短辺ＳＳ１を決定する。
次に、ステップＳ２１３において、決定部５０３が、距離ＬＢを求める。距離ＬＢは、短辺ＳＳ１から、第２画像Ｍ２の短辺ＳＳ１に近接する側の端までの距離を示す。
次に、ステップＳ２１５において、決定部５０３が、距離ＬＢに基づいて第２距離Ｌ２を決定する。具体的には、決定部５０３は、距離ＬＢに所定距離βを加算した和を第２距離Ｌ２に決定する。
次に、ステップＳ２１７において、決定部５０３が、第２距離Ｌ２に基づいて特定領域ＡＲを決定する。具体的には、決定部５０３は、短辺ＳＳ１から第２距離Ｌ２までの領域を示すように特定領域ＡＲを決定する。そして、処理が図８のステップＳ１０９に戻る。
【００６７】
ステップＳ２０９とステップＳ２１７とが「決定ステップ」の一例に相当する。
【００６８】
以上、図１〜図９を参照して説明したように、本発明の実施形態では、特定領域ＡＲが用紙Ｐの短辺ＳＳ１に沿って延びる場合には、決定部５０３は、短辺ＳＳ１から第２距離Ｌ２までの領域を示すように特定領域ＡＲを決定する。よって、第２距離Ｌ２を適正な値に決定することによって、特定領域ＡＲを適正に決定できる。なお、適正な値とは、プレビュー画像ＭＰが第２画像Ｍ２の少なくとも一部を含むような値を示す。したがって、ユーザーが意図した仕上がりになるか否かを更に確実に判断できる。
【００６９】
また、決定部５０３は、短辺ＳＳ１から第２画像Ｍ２の短辺ＳＳ１に近接する側の端までの距離ＬＢに基づいて第２距離Ｌ２を決定する。よって、第２距離Ｌ２を適正な値に決定できる。したがって、ユーザーが意図した仕上がりになるかを更に確実に判断できる。
【００７０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７１】
（１）図１〜図９を参照して説明したように、本発明の実施形態では、画像形成装置１００が表示制御装置に相当するが、本発明はこれに限定されない。表示制御装置は、ディスプレーと制御部とを備えていればよい。例えば、表示制御装置が、画像形成装置１００に通信可能に接続されたスマートフォンでもよい。また、例えば、表示制御装置が、画像形成装置１００に通信可能に接続されたパーソナルコンピューターである形態でもよい。
【００７２】
（２）図１〜図９を参照して説明したように、表示部５０４が、１つのプレビュー画像ＭＰをディスプレー４１１に表示するが、本発明はこれに限定されない。表示部５０４が、プレビュー画像ＭＰをディスプレー４１１に表示すればよい。例えば、複数のプレビュー画像ＭＰを所定方向に並べて、ディスプレー４１１に表示する形態でもよい。
【産業上の利用可能性】
【００７３】
本発明は、プレビュー画像をディスプレーに表示する表示制御装置、表示制御方法、及び画像形成装置に関するものであり、産業上の利用可能性を有する。
【符号の説明】
【００７４】
１００    画像形成装置
１    画像形成ユニット（画像形成部）
２    画像読取ユニット
３    原稿搬送ユニット
４    操作表示部
４１    タッチパネル
４１１    ディスプレー４１１（表示制御装置の一部）
４１２    タッチセンサー
５    制御部（表示制御装置の一部）
５Ａ    プロセッサー
５Ｂ    記憶部
５０１    読取部
５０２    設定部
５０３    決定部
５０４    表示部
５０５    指示部
ＡＲ    特定領域
Ｍ１    第１画像
Ｍ２    第２画像
ＭＰ    プレビュー画像
Ｐ    用紙
Ｌ１    第１距離
Ｌ２    第２距離
ＬＡ、ＬＢ    距離
ＬＳ、ＬＳ１、ＬＳ２    長辺
ＳＳ、ＳＳ１、ＳＳ２    短辺
【図１】
2018160091.tif 000003
【図２】
2018160091.tif 000004
【図３】
2018160091.tif 000005
【図４】
2018160091.tif 000006
【図５】
2018160091.tif 000007
【図６】
2018160091.tif 000008
【図７】
2018160091.tif 000009
【図８】
2018160091.tif 000010
【図９】
2018160091.tif 000011